(57)【要約】      （修正有）【課題】構造がシンプルな噴霧ノズルを構成し、目詰まり、閉塞がなく、寿命が永く、元栓を停止した時一滴も滴り落ちることがないノズルを提供する。【解決手段】球形ノズル２では得られた圧力に対して霧化される粒子は数ミリ程度の穴径で霧化が可能になる。穴径の対面に空気溜り４が出現し、更に注水量を増やすことで空気溜り４は圧縮し、穴径から空気が抜けると共に圧力の掛かった水圧が霧化を助長させる。噴霧を停止すると、導入口１に起る旋回流を避けた球形の片側位置に穴を穿っている為、圧力バランスから真空状態になり空気溜り４が発生する。該空気は外部から噴霧口を通して入ってくる為、自動的に液垂れが止まる。更に球形ノズル２内を常に浄化する為、球形ノズル２内に導入する液体の導入口１を接線方向に取付け、該接線に添うよう任意の大きさと重さを持った球を複数個投入することで内部洗浄を行うことができる。【選択図】図４
2014069178.tif 000002
【特許請求の範囲】
【請求項１】
ノズルの形状が球形又は楕円球形であり接線方向に流体の導入口を備え、流体が接線方向に旋回する旋回流の真横直角或は他の角度に流体噴出口を１乃至複数個、任意の大きさに穿つことを特徴とする内部洗浄を備えた球形噴霧ノズル。
【請求項２】
先端部において流体を噴霧するノズルの形状が球形で、接線方向の導入口を複数個設けることにより液々混合しながら噴霧することを特徴とし、任意の大きさと重さを持った複数個の球を球形ノズル内に投入した後、導入口から洗浄球体が外部へ戻らないようストッパーを取付けたことを特徴とする内部洗浄を備えた球形噴霧ノズル。
【請求項３】
前記球形ノズルにおいて導入口から導入した流体（液体）は内壁に添って旋回し、旋回流の流れを避けた９０°直角の中心に穿った穴から流出が始まり、穴の対面に圧力がバランスを保つ為真空面を形成する。該負圧の空気溜りが出来ると共に液体の流出は止まる。更に液体の連続注入によりやがて滞留空気は押出されて、該気体は噴霧口より排出される。液体導入口より注水を停止すると同時に噴霧口より外気が旋回流に添って負圧になった噴霧口対面に空気溜りを形成する。この時球形内の気圧と大気圧が、バランスを保つ作用が起り、噴霧口に出入する空気が液体の出入を制御し、電磁弁を必要としない制御が自動的に行われ、噴霧口から一滴の液垂れも起さない、目詰まりしない内部洗浄を備えた球形噴霧ノズルを提供する。。
【請求項４】
前記球形噴霧ノズルにおいて、図示しないが粘性の強い液体を霧化する時、液体噴出用ノズルは任意の穴径に任意の角度或は液体導入を停止した時、一滴の水滴も落下しないよう、ノズルの噴霧口に滴洩れ防止用、ツバ或はリングを取付けることを特徴とする内部洗浄を備えた球形噴霧ノズル。
【発明の詳細な説明】
【技術分野】
【０００１】  本発明は流体の微細噴霧において、従来技術では小さな穴径を明けるのが常識となっていたが本ノズルは、球形内に液体が充分溜り、尚穴径の反対側に出来る空気溜りの空気を球形ノズル内への連続投入水により、該空気を圧出するまで水圧を上げることによって霧化する為、微細な穴径が必要でなくなり、比較的大きな例えば数ミリ程度の穴でも圧力により霧化する為、数ミリの穴径が通過出来ればよく、多少の塵芥や粘性を持つ汚泥でも噴霧することが出来る特徴があり、更に該球形ノズル内に任意の大きさの球形を複数個備え連続投入水と共に、複数個の球形を常時旋回させることで球形同志の衝突と摩擦により、球形ノズル内の自動洗浄を可能にした、内部洗浄を備えた球形噴霧ノズル。
【背景技術】
【０００２】  従来のノズルは穴径に比例して細かい霧にする方法が採られた為に、穴径は微細な穴径が必須条件となっていたが、清水では全く問題にならないことでも粘性を持つ液体や、粉塵が混入されている液体を噴霧すると微細な穴径は目詰まりの原因となり、分解掃除等のメンテナンスが必須条件でノズルの改善が待たれていた。【０００３】  本ノズルは粘性液や粉塵が多少混在しても目詰まりし難い方法として発明されたものである。又液体を導入する元栓を開栓すると球形ノズルから噴霧する。元栓を締めると直ちに止まり、同時に噴霧口からは一滴の水滴も滴り落ちが無くなる特徴がある。
【発明の概要】
【発明が解決しようとする課題】
【０００４】  目詰まりしない微細噴霧を目的として発明したものであり、循環水ポンプ等により繰り返し再利用される水の先端部のノズルに使用されても目詰まりせずに噴霧を行うことが出来、尚粘性のある焼酎粕や下水汚泥等の霧化を図り、発生噴霧量も充分確保出来る内部洗浄を備えた、球形噴霧ノズルを提供する。
【課題を解決する為の手段】
【０００５】  上記の問題を解決するためになされた本発明の噴霧ノズルは、先端部において液体を噴霧する球形の接線方向に１乃至複数個の導入口を備え、同じ球形の一部に任意の大きさの噴出口を穿ってあり、極めてシンプルな構造からなることを特徴とするものである。
【０００６】  本発明はシンプルな構造であるために、衛生上の管理もし易く、内面を鏡面仕上げにすると一般細菌類も付着し難く、球の内面には一定の圧力が掛かり旋回流を起し乍ら流体によるノズルの内部洗浄に加え、複数個の任意の大きさと重さを持つ球形が、旋回流と共に縦列を編成し、回転し乍ら内部洗浄を繰り返し行うことになるので、食品工場における応用分野も広く、活用出来ることを特徴としている。
【０００７】  さらに本発明の球形噴霧ノズルは流体１液だけではなく、導入口を複数個，備えることで２液乃至複数液を混合しながら噴霧することも可能で、噴出口も１ヶ所に限らず、噴水等のノズルとして従来になかった使用方法も考えられる特徴をもっている。
【０００８】  上記本発明と共に液体ノズルは球形或は楕円球形に限定し、接線方向から液体を導入し、球形内に保水し、球形内の水圧と該気圧のバランスが一定した時、噴出口の反対側が真空状態になり空気溜りが現れる。該空気溜りは、導水口の連続注水により球形内部圧力が増し、空気溜りは徐々に圧迫されて噴出口から空気が押し出される。球形ノズル内に全く空気が無くなり、更に水が送られて水噴出口に圧力の掛かった水が最大限に至った時初めて噴霧の微細化が行われる。
【発明の効果】
【０００９】  以上の記述にによって明らかなように液体専用の球形ノズルを形成し、該ノズルに液体導入口を設け、該導入口より液体が充満されるに従い、予め穿ってあった噴出口の対面に空気溜りが現出する。水を連続投与するに従い、空気溜りは圧縮され内圧が上昇し、やがて空気溜りは圧縮され続けて内圧が更に上昇し、やがて空気溜りが消滅すると共に噴出口から微細噴霧が発生する液体の微細化が即ち水の表面積を大きくすることになり、粘性のある廃液や汚泥を乾燥し易くすることを目的とし、内部に溜まり易い汚泥や塵芥も複数個の任意の大きさの球形により、微細化と共に内部洗浄を備えた噴霧ノズルを提供する。
【図面の簡単な説明】
【００１０】
【図１】第１図は本発明に基づく内部洗浄を備えた球形噴霧ノズルの構成を示す正面概略図である。
【図２】第２図は本発明に基づく内部洗浄を備えた球形噴霧ノズルの構成を示す断面概略図である。
【図３】第３図は本発明に基づく内部洗浄を備えた球形噴霧ノズル内に任意の大きさと、重さを持った球形の洗浄の作用と、球形の逆流防止用ストッパーを示す断面外略図である。
【図４】第４図は本発明に基づく内部洗浄を備えた球形噴霧ノズルの注水停止の時、噴霧口から球形内圧のバランスを保つ為、空気が入ると共に水滴を止め噴霧口の対面に空気溜りの構成を示す断面外略図である。
【発明を実施するための形態】
【００１１】  次に本発明の球形微細噴霧ノズルに係わる実施形態を図１〜３を参照して説明する。図１において本発明の噴霧ノズルは液体を噴霧させるための球形ノズル（２）からなり、接線方向に導入口１を備え、噴出口３、からなっている。
【００１２】  球形微細噴霧ノズル噴出口３は小さい穴にする必要がなく、１ミリ以上の目詰まりしない程度の噴出口３で充分微細粒子が得られる。圧力が低い時は穴の径の対面に空気溜りが出来、水と空気でバランスが保たれて、水滴は落ちずに推移して行く、圧力が増すに連れて空気溜りが無くなると共に、噴霧状態を形成する。導入口１を太くして流入量を増加させたり、液体用ノズルは球形又は楕円球形等２任意の形で良く、ノズルは球形を任意の大きさに設定することで流体の拡散と共に旋回流に従って、任意の大きさの複数個の球形が内部洗浄と共に塵芥の微細化を行い微細化された塵芥は噴出口１から輩出される、内部洗浄を備えた球形ノズルを提供する。
【００１３】  球形噴霧ノズルの噴出口１は、小さな穴にしてもよいが、小さくすればする程、従来技術のノズルと同じになり目詰まりを起す為、噴出口３は目詰まりしない程度の大きさにした方がよい。噴霧パターンは噴出口３及び導入口１及び球形又は楕円球形２の組合せにより噴霧ノズルアイテムは数千種まで製作可能で殆んどの利用者の満足度を充足させることが可能になる。
【００１４】  本発明品は先端部に球形噴霧ノズル２があり、流体を充たしたまま液垂れせずに作業を停止するため、次の作業を開始する時、流体が先端部に到達する時間待ちをしないで作業に入れる利点がある。又導入口の元栓を締めることで水滴も止めることが出来る特徴がある。
【００１５】  本発明の液体ノズルの材質は特に選ばずプラスチックでもよく金属類等の材質で球形を形成し、導入口１が取付けられ任意の穴３を穿って目的を達せられるものであればよい。
【産業上の利用可能性】
【００１６】  本発明は液体の霧化を行う時、微細な穴が必須条件であり、穴が小さくなる程目詰まりが早くなり、目詰まりを取り除く解決が待たれていた。本球形ノズルは球形内で内圧が上がるため、圧力ノズルを形成し、穴径を極めて小さくしなくても例えば１ｍｍ〜３ｍｍにしても細霧が得られるので必然的に目詰まりはしなくなり、大量の霧化が可能になった。更に常時球形ノズル内に、複数個の任意の大きさの球を入れることにより、球形ノズル２内に入った塵芥や水垢等を粉砕して排出し、球形ノズル内を清浄に保つ利点が備わることになった。
【符号の説明】
【００１７】１．液体導入口
２．内部浄化を備えた球形ノズル
３．噴霧口兼気体吸入口及び排出口
４．内圧調整用エア溜り
５．エア溜りよりエア排出予定通路
６．球形ノズル内部洗浄用球体
７．洗浄用球形逆戻り防止ストッパー
【図１】
2014069178.tif 000003
【図２】
2014069178.tif 000004
【図３】
2014069178.tif 000005
【図４】
2014069178.tif 000006